(57)【要約】      （修正有）【課題】長期にわたって位置追跡機能を維持することが可能な位置追跡機能付きカード、その位置追跡システム及び携帯端末を提供する。【解決手段】位置追跡機能付きカード１０は、現在の位置情報に関する信号を発信することにより、現在位置の特定を可能にする位置追跡機能付きカード１０であって、少なくとも表面の一部が透明性を有する基体２と、基体２中に設けられ、かつ、前記信号として、暗号化された前記位置情報及びユーザー情報を発信する制御部４等と、前記基体中において透明性を有する領域に設けられ、かつ、制御部４を駆動させる発電用ソーラーパネル５と、発電用ソーラーパネル５により生成された電気エネルギーを蓄積する薄膜電池３と、制御部４等により特定の信号を発信するための発信用アンテナ８とを備える。【選択図】図３
0003195188.tif 000002
【実用新案登録請求の範囲】
【請求項１】
現在の位置情報に関する信号を発信することにより、現在位置の特定を可能にする位置追跡機能付きカードであって、
少なくとも表面の一部が透明性を有する基体と、
前記基体中に設けられ、かつ、前記信号として、暗号化された前記位置情報及びユーザー情報を発信する発信手段と、
前記基体中において透明性を有する領域に設けられ、かつ、前記発信手段を駆動させる発電用ソーラーパネルと、
前記発電用ソーラーパネルにより生成された電気エネルギーを蓄積する蓄電手段と、
前記発信手段により、前記位置情報に関する信号を発信するための発信用アンテナとを備える位置追跡機能付きカード。
【請求項２】
前記蓄電手段で蓄電されている電気エネルギーの残量を検出する検出手段と、
前記検出手段の結果に応じ、電気エネルギーの残量を表示する表示手段とを備える請求項１に記載の位置追跡機能付きカード。
【請求項３】
測位用の衛星信号を送信する測位用衛星と、
前記衛星信号を受信する請求項１又は２に記載の位置追跡機能付きカードと、
前記位置追跡機能付きカードが発信する前記位置情報及びユーザー情報を受信する基地局と、
前記基地局から発信する前記位置情報及びユーザーを受信し、前記位置追跡機能付きカードの現在位置を追跡可能にする携帯端末とを備える位置追跡機能付きカードの位置追跡システム。
【請求項４】
現在の位置情報及びユーザー情報に関する信号を受信し、現在位置の特定を可能にする携帯端末であって、請求項１又は２に記載の位置追跡機能付きカードとの組合せが可能な携帯端末。
【考案の詳細な説明】
【技術分野】
【０００１】
本考案は、長期にわたって位置追跡機能を維持することが可能な位置追跡機能付きカード及び位置追跡システムに関する。
【背景技術】
【０００２】
従来より、特定の信号を発信させる発信器を内蔵したクレジットカードやキャッシュカードにおいては、当該発信器を駆動させるためにバッテリを必要としている。このようなクレジットカード等としては、例えば、下記特許文献１に、バッテリを電源として独自のコードを発信する発振器を備えたものが開示されている。
【０００３】
前記文献に記載の考案では、発振器から発信されたコード信号が基地局に受信され、さらに、基地局は総合基地局にその信号を送出し、総合基地局では、複数の基地局からの信号を元に位置を算出することができるとされている。また、この考案においては、電池を小型化でき、発振器からのコード信号の送信距離も移動電話通信網の基地局に届くだけの電力でよいので、バッテリの小型化が可能とされている。
【０００４】
しかしながら、従来のクレジットカード等は、バッテリを電力源としているため、長期にわたって信号を発信することが困難である。そのため、電池切れにより発信器の電波が発信されない場合には、クレジットカード等の位置検出ができないという問題がある。
【先行技術文献】
【特許文献】
【０００５】
【特許文献１】特開２０００−２４９７５２号公報
【考案の概要】
【考案が解決しようとする課題】
【０００６】
本考案は前記問題点に鑑みなされたものであり、その目的は、長期にわたって位置追跡機能を維持することが可能な位置追跡機能付きカード、その位置追跡システム及び携帯端末を提供することにある。
【課題を解決するための手段】
【０００７】
本考案の位置追跡機能付きカードは、前記の課題を解決する為に、現在の位置情報に関する信号を発信することにより、現在位置の特定を可能にする位置追跡機能付きカードであって、少なくとも表面の一部が透明性を有する基体と、前記基体中に設けられ、かつ、前記信号として、暗号化された前記位置情報及びユーザー情報を発信する発信手段と、前記基体中において透明性を有する領域に設けられ、かつ、前記発信手段を駆動させる発電用ソーラーパネルと、前記発電用ソーラーパネルにより生成された電気エネルギーを蓄積する蓄電手段と、前記発信手段により、前記位置情報に関する信号を発信するための発信用アンテナとを備えることを特徴とする。
【０００８】
前記の構成に於いて、前記蓄電手段で蓄電されている電気エネルギーの残量を検出する検出手段と、前記検出手段の結果に応じ、電気エネルギーの残量を表示する表示手段とを備えることが好ましい。
【０００９】
また、本考案の位置追跡機能付きカードの位置追跡システムは、前記の課題を解決する為に、測位用の衛星信号を送信する測位用衛星と、前記衛星信号を受信する前記位置追跡機能付きカードと、前記位置追跡機能付きカードが発信する前記位置情報及びユーザー情報を受信する基地局と、前記基地局から発信する前記位置情報及びユーザーを受信し、前記位置追跡機能付きカードの現在位置を追跡可能にする携帯端末とを備えることを特徴とする。
【００１０】
さらに、本考案の携帯端末は、前記の課題を解決する為に、現在の位置情報及びユーザー情報に関する信号を受信し、現在位置の特定を可能にする携帯端末であって、前記に記載の位置追跡機能付きカードとの組合せが可能なことを特徴とする。
【考案の効果】
【００１１】
本考案の位置追跡機能付きカードによれば、少なくとも一部が透明性を有する基体において、当該透明性を有する領域に、発電用ソーラーパネルが設けられている。この発電用ソーラーパネルは、暗号化された位置情報の信号を発信する発信手段を駆動させる。そして、発電用ソーラーパネルで生成された電気エネルギーは蓄電手段に蓄積されるので、本考案においては、長期間、暗号化された位置情報の信号を発信させ続けることができる。その結果、本考案においては、長期にわたって、位置追跡機能付きカードの位置追跡を可能とする。
【００１２】
また、本考案の位置追跡機能付きカードの位置追跡システムによれば、位置追跡機能付きカードが長期間にわたって発信し続ける暗号化された位置情報の信号を、携帯端末が受信することができ、利便性及び汎用性の向上が図れる。
【図面の簡単な説明】
【００１３】
【図１】本実施の形態の位置追跡システムの構成図を示す概念図である。
【図２】前記位置追跡システムに用いる位置追跡機能付きカードを説明するための分解斜視図である。
【図３】前記位置追跡機能付きカードの一構成例を示すブロック図である。
【考案を実施するための形態】
【００１４】
本実施の形態の位置追跡機能付きカードを、図１〜図３に基づき以下に説明する。図１は、本実施の形態の位置追跡システムの構成図を示す概念図である。図２は、前記位置追跡システムに用いる位置追跡機能付きカードを説明するための分解斜視図である。図３は、前記位置追跡機能付きカードの一構成例を示すブロック図である。
【００１５】
本実施の形態の位置追跡システム１は、位置追跡機能付きカード１０、測位用衛星２０、基地局３０及び携帯端末４０を備える。位置追跡システム１は、測位用衛星２０から無線送信された衛星信号を、位置追跡機能付きカード１０が受信し、その結果に基づき現在地（緯度経度）、現在時刻、移動速度等を求め、暗号化して現在の位置情報として発信する。発信された位置情報は基地局３０において受信された後、携帯端末４０に送信される。
【００１６】
位置追跡機能付きカード１０は、図２に示すように、少なくとも表面の一部が透明性有する基体２からなる。また、基体２は、基材２ａと、当該基材２ａの表面を被覆する表面側外装材２ｂと、基材２ａの裏面を被覆する裏面側外装材２ｃとからなる基体２を備える。
【００１７】
基材２ａの形状としては特に限定されず、例えば、フィルム状、シート状、基板状等を採用することができる。基材２ａの材料としては特に限定されないが、耐久性や利便性等の観点から、フレキシブル性を有する樹脂材料を用いることが好ましい。このような樹脂材料としては、例えば、ポリ塩化ビニル、アクリルニトリル−ブタジエン−スチレン共重合樹脂（ＡＢＳ）、ポリプロピレン、トリアセテート、ＰＥＮ（ポリエチレンナフタレート）、ＰＥＴ（ポリエチレンテレフタレート）、ポリイミド（ＰＩ）、ポリエステル等が挙げられる。これらの樹脂材料は、位置追跡機能付きカード１０に要求される特性に応じて、適宜任意に選択することが可能である。
【００１８】
基材２ａの厚さは特に限定されないが、通常は０．２０〜０．３０ｍｍ程度となる。但し、基材２ａには、薄膜電池３及び発電用ソーラーパネル５を実装するので、それらの厚みに相当するものを使用するのが好ましい。
【００１９】
表面側外装材２ｂ及び裏面側外装材２ｃは、基体２の表面および裏面を構成するものであり、例えば、ＰＥＴ（ポリエチレンテレフタレート）、ＰＢＴ（ポリブチルテレフタレート）、ＰＥＧ（ポリエチレングリコール、配向ＰＥＴ等の高分子材料を主成分とするものを用いることができる。但し、本考案は、これらの高分子材料に限定されるものではなく、位置追跡機能付きカード１０に要求される特性に応じて、従来公知の高分子材料から適宜任意に選択することが可能である。
【００２０】
表面側外装材２ｂは透明性を有している。これにより、発電用ソーラーパネル５は太陽光等による受光が可能となっている。その一方、裏面側外装材２ｃは透明性を有していないが、本考案は、これらの態様に限定されるものではない。すなわち、表面側外装材２ｂの一部だけが透明性を有している構成でよく、また、裏面側外装材２ｃにおいても、少なくともその一部が透明性を有している構成としてもよい。尚、透明性とは可視光領域（３６０ｎｍ〜７５０ｎｍ）の光が透過することを意味する。
【００２１】
表面側外装材２ｂ及び裏面側外装材２ｃの厚みは特に限定されず、適宜設定することができる。位置追跡機能付きカード１０の全体厚みをＩＳＯ規定の範囲内にするために、表面側外装材２ｂ及び裏面側外装材２ｃの厚みを適宜設定して調整してもよい。
【００２２】
基材２ａは、図３に示すように、蓄電手段としての薄膜電池３、制御部４、発電用ソーラーパネル５、表示部６、ＧＰＳ(Global Positioning System)受信用アンテナ７及び発信用アンテナ８を備える。
【００２３】
薄膜電池３は、発電用ソーラーパネル５に接続されており、当該発電用ソーラーパネル５によって発電した電力を蓄積と可能となっている。また、薄膜電池３は、制御部４および表示部６に電力を供給する。薄膜電池３としては、特に限定されず、従来公知のものを用いることができる。例えば、繰り返し充放電可能なＩＳＯ規格を満たす薄膜二次電池等が挙げられ、より具体的には、正極活物質としてアモルファスＶ２Ｏ５ゲル薄膜を用い、電解質として高イオン導電性のポリホスファゼンを用いた超薄型の２次電池（厚み０．１ｍｍ）や、可撓性のある超薄型リチウム２次電池（厚み０．２ｍｍ）等が使用可能である。
【００２４】
制御部４は、インタフェース１１と、ＲＡＭ（Random Access Memory）１２と、ＲＯＭ（Read Only Memory）１３と、ＣＰＵ（Central Processing Unit）１４とを少なくとも備える。インタフェース１１、ＲＡＭ１２、ＲＯＭ１３、ＣＰＵ１４はバス１５に対して接続されている。制御部４は位置追跡機能付きカード１０の現在位置に関する位置情報やユーザー情報の信号を、発信用アンテナ８を用いて発信させる機能を有しており、発信手段として働く。尚、インタフェース１１は、パス１５を介して薄膜電池３および表示部６とも接続している。
【００２５】
ＲＡＭ１２は、ＣＰＵ１４のワークメモリとして用いられる。ＲＯＭ１３は、ＣＰＵ１４を動作させるためのプログラムを記憶している。また、位置追跡機能付きカード１０固有のユーザー情報も記憶している。ＲＯＭ１３にユーザー情報が記憶されていることにより、ユーザーが所有する位置追跡機能付きカード１０であるか否かの区別を可能にする。
【００２６】
ＣＰＵ１４は、ＲＯＭ１３に予め記憶された動作プログラムに従い動作する。具体的には、測位用衛星２０や基地局３０との間の通信動作の制御を行う。また、ＧＰＳ受信用アンテナ７が受信した衛星信号に基づき現在位置の算出のための演算を行う。さらに、表示部６に薄膜電池３の電池残量等の情報を表示させるための制御を行う。また、インタフェース１１を介して、発電用ソーラーパネル５で発電された電力による充電や放電を制御する。
【００２７】
発電用ソーラーパネル５としては、特に限定されず、例えば、１．５ｖ〜５ｖ、３μＡ程度の起電力を有する市販のもの等を用いることができる。発電用ソーラーパネル５は、主として制御部４や表示部６の駆動に利用される。
【００２８】
また、発電用ソーラーパネル５は基体２の表面及び／又は裏面の全面に設けてもよく、あるいは所定の領域に設けてもよい。但し、太陽光等の受光を可能にするため、表面側外装材２ｂ又は裏面側外装材２ｃは、少なくとも発電用ソーラーパネル５が設けられる領域において透明性を有していることが必要である。
【００２９】
表示部６としては可撓性を有するものが好ましく、例えば、液晶ディスプレイ、有機エレクトロルミネッセンスディスプレイ（Organic Electro Luminescence：ＯＥＬ）などを用いることができる。表示部６は、発電用ソーラーパネル５又は薄膜電池３から供給される電力により駆動され、制御部４に記憶された情報に基づき薄膜電池３の電池残量などを表示することができる。表示方法としては特に限定されず、例えば、マトリックスやセグメントにより文字等の表示を行うことができる。
【００３０】
ＧＰＳ受信用アンテナ７は、測位用衛星２０から発信される前記衛星信号を受信する機能を有している。ＧＰＳ受信用アンテナ７としては特に限定されず、例えば、フィルムアンテナ等を用いることができる。また、発信用アンテナ８は、位置情報及びユーザー情報の信号を発信する機能を有している。発信用アンテナ８としては特に限定されず、例えば、コイルアンテナ等が用いることができる。
【００３１】
測位用衛星２０としては、具体的には、例えば、地球周回軌道上にある測位用衛星、すなわちＧＰＳ衛星が挙げられる。
【００３２】
携帯端末４０は、ユーザーが基地局３０に対して位置情報及びユーザー情報の提供を求める際に用いる端末である。携帯端末４０は、例えば、基地局３０に対し位置追跡機能付きカード１０の位置情報及びユーザー情報を取得する手段を備える。携帯端末４０としては特に限定されず、例えば、スマートフォンや、ＰＤＡ（Personal Digital Assistant）、携帯電話機、携帯パーソナルコンピュータ、タブレット等が挙げられる。
【００３３】
また、本実施の形態に於いては、薄膜電池において蓄電されている電気エネルギーの残量を検出するための電源電圧監視回路（検出手段、図示しない）を備えていてもよい。電源電圧監視回路は制御部４に設けることができ、薄膜電池から電力供給を受けて駆動する。そして、電力残量として薄膜電池３の電圧を検出し、電力残量として薄膜電池３の電圧が所定値を下回った場合には、表示部６において電池残量を表示させるようにすることができる。
【００３４】
次に、本実施の形態の位置追跡システム１の動作について説明する。
先ず、位置追跡機能付きカード１０が、ＧＰＳ受信用アンテナ７により、測位用衛星２０からの衛星信号を受信すると、制御部４は当該衛星信号に基づく情報を元に現在位置を演算する。さらに、制御部４は、演算により得られた現在の位置情報、及びＲＯＭ１３に予め記憶されているユーザー情報を、発信用アンテナ８を用いて信号として発信する。
【００３５】
基地局３０は、位置追跡機能付きカード１０の現在の位置情報及びユーザー情報を受信すると、データとしてメモリに格納される。そして、ユーザーの携帯端末４０から基地局３０に対し呼び出しがあった場合、すなわち位置機能付きカード１０の現在位置を確認したいと要求する信号及びユーザー情報に関する信号が基地局３０に送信された場合、基地局３０はメモリに格納されているユーザー情報と、携帯端末４０から送信されたユーザー情報とを比較し、一致するか否かを確認する。ユーザー情報が一致する場合、基地局３０は、ユーザーの携帯端末４０に対し、位置追跡機能付きカード１０の位置情報及びユーザー情報を送信する。
【００３６】
携帯端末４０において位置追跡機能付きカード１０の現在位置に関する位置情報が受信されると、ユーザーは当該位置追跡機能付きカード１０の現在位置を確認することができる。
【００３７】
以上の様に、本実施の形態の位置追跡機能付きカード及びそれを用いた位置追跡システムによれば、当該カードを紛失しても、発電用ソーラーパネルと当該発電用ソーラーパネルにより発電された電気エネルギーを蓄電する薄膜電池とを備えるので、長期間にわたって、その現在位置を携帯端末により特定し追跡することができる。
【符号の説明】
【００３８】
１  位置追跡システム
２  基体
２ａ  基材
２ｂ  表面側外装材
２ｃ  裏面側外装材
３  薄膜電池
４  制御部
５  発電用ソーラーパネル
６  表示部
７  ＧＰＳ受信用アンテナ
８  発信用アンテナ
１０  位置追跡機能付きカード
１１  インタフェース
１２  ＲＡＭ
１３  ＲＯＭ
１４  ＣＰＵ
１５  バス
２０  測位用衛星
３０  基地局
４０  携帯端末
【図１】
0003195188.tif 000003
【図２】
0003195188.tif 000004
【図３】
0003195188.tif 000005